(57)【要約】【課題】自動選択モードにおいて複数の主被写体候補から撮影者が主被写体を選択できる光学ファインダを備える撮像装置を提供する。【解決手段】光学ファインダを備える撮像装置であって、焦点検出手段により検出された被写体のデフォーカス量を基に、複数の主被写体候補から一つの主被写体を選択する選択手段（Ｓ４０４）と、選択手段に選択された主被写体に対して、合焦していることを示す第１の表示パターンを光学ファインダに重畳して表示し（Ｓ４０６）、選択手段に選択されなかった他の主被写体候補に対して、他の主被写体候補が存在することを示す第１の表示パターンとは異なる第２の表示パターンを光学ファインダに表示する（Ｓ４０９）表示手段と、撮影者による操作部材の操作により主被写体が他の主被写体候補に変更されたとき、選択手段による主被写体の選択を変更し、変更された主被写体に対して焦点調節を行う制御手段（Ｓ４１０ＹＥＳ，Ｓ４１１）と、を備える。【選択図】図４
2019101106.tif 000002
【特許請求の範囲】
【請求項１】
光学ファインダを備える撮像装置であって、
被写体像の焦点状態を検出する焦点検出手段と、
前記焦点検出手段により検出された被写体のデフォーカス量を基に、複数の主被写体候補から一つの主被写体を選択する選択手段と、
前記選択手段に選択された前記主被写体に対して、合焦していることを示す第１の表示パターンを前記光学ファインダに重畳して表示し、前記選択手段に選択されなかった他の主被写体候補に対して、前記他の主被写体候補が存在することを示す前記第１の表示パターンとは異なる第２の表示パターンを前記光学ファインダに表示する表示手段と、
撮影者による操作部材の操作により前記主被写体が前記他の主被写体候補に変更されたとき、前記選択手段による前記主被写体の選択を変更し、変更された主被写体に対して焦点調節を行う制御手段と、を備えることを特徴とする撮像装置。
【請求項２】
前記第１の表示パターンに対し、前記第２の表示パターンの大きさが小さいことを特徴とする請求項１に記載の撮像装置。
【請求項３】
前記表示手段は、前記第１の表示パターンおよび前記第２の表示パターンを、点灯により前記光学ファインダに表示し、前記点灯する前においては、前記第２の表示パターンは、前記第１の表示パターンの略中央、または複数の前記第１の表示パターンの間に配置されていることを特徴とする請求項１または２に記載の撮像装置。
【請求項４】
前記表示手段は、前記第１の表示パターンと前記第２の表示パターンの表示周期が異ならせることを特徴とする請求項１乃至３のいずれか一項に記載の撮像装置。
【請求項５】
前記第２の表示パターンは、表示された前記第１の表示パターンの周囲に配置されて表示されることを特徴とする請求項１乃至４のいずれか一項に記載の撮像装置。
【請求項６】
前記表示手段は、前記操作部材の操作により前記選択手段により選択された前記主被写体が変更された場合、前記選択手段により選択された前記主被写体に対して前記第２の表示パターンを表示し、前記変更された主被写体に対して前記第１のパターンを表示することを特徴とする請求項１乃至５に記載の撮像装置。
【請求項７】
光学ファインダを備える撮像装置の制御方法であって、
被写体像の焦点状態を検出する焦点検出ステップと、
前記焦点検出ステップで検出された被写体のデフォーカス量を基に、複数の主被写体候補から一つの主被写体を選択する選択ステップと、
前記選択ステップで選択された前記主被写体に対して、合焦していることを示す第１の表示パターンを前記光学ファインダに重畳して表示し、前記選択ステップで選択されなかった他の主被写体候補に対して、前記他の主被写体候補が存在することを示す前記第１の表示パターンとは異なる第２の表示パターンを前記光学ファインダに表示する表示ステップと、
撮影者による操作部材の操作により前記主被写体が前記他の主被写体候補に変更されたとき、前記選択ステップでの前記主被写体の選択を変更し、変更された主被写体に対して焦点調節を行う制御ステップと、を備えることを特徴とする撮像装置の制御方法。
【発明の詳細な説明】
【技術分野】
【０００１】
本発明は、デジタルカメラ等の撮像装置に関し、特に光学ファインダに重畳表示される表示パターンに関する。
【背景技術】
【０００２】
撮影者が任意に焦点検出位置を指定する（いわゆる任意選択）モードと、複数検知された主被写体候補から自動的に主被写体を選択し、焦点調整まで行う（いわゆる自動選択）モードを備えた撮像装置が知られている。
【０００３】
焦点検出範囲内に複数の主被写体候補が存在する場合、撮像装置は所定のアルゴリズムに従って主被写体を選択する。仮に撮像装置によって選択された主被写体が撮影者の意図と異なる場合、撮像装置はビューファインダ等の情報表示手段により、複数の主被写体候補があることを撮影者に知らせ、撮影者は釦操作等の指示により主被写体を指定することが可能である。
【０００４】
例えば特許文献１では、複数の主被写体候補が存在することを撮影者に提示し、撮影者の選択により主被写体を決定する技術が開示されている。このような複数の主被写体候補があることを撮影者に伝えるための情報表示手段としては、電子ファインダ（ＥＶＦ）や撮像装置背面に配設された情報表示部（ＴＦＴ液晶表示部）が用いられる。これらは被写体像に各種情報を容易に重畳表示させることが可能であり、情報表示のパターンや位置なども容易に変更することが可能である。
【先行技術文献】
【特許文献】
【０００５】
【特許文献１】特開２０１５−９６９６１号公報
【発明の概要】
【発明が解決しようとする課題】
【０００６】
しかしながら、例えば一眼レフカメラのように光学ファインダを備える撮像装置では、ＥＶＦやＴＦＴ液晶に比べ、重畳表示できるパターンやその位置が限定される。従来、光学ファインダにおける重畳（スーパーインポーズ）表示は主として焦点検出位置を表示するものであった。これは光学ファインダでは被写体像が光学像であるため、重畳表示させる情報表示手段として高分子分散型液晶など高い透過性能を有するデバイスが用いられるが、配線スペースなどの制約が多く、必要最低限のパターンしか用意できなかったためである。
【０００７】
そこで本発明は、光学ファインダを備える撮像装置において、自動選択モードで複数の主被写体候補から撮影者が任意の主被写体を選択することが可能な撮像装置及びその制御方法を提供することを目的とする。
【課題を解決するための手段】
【０００８】
上記目的を達成するために、本発明は、光学ファインダを備える撮像装置であって、被写体像の焦点状態を検出する焦点検出手段と、前記焦点検出手段により検出された被写体のデフォーカス量を基に、複数の主被写体候補から一つの主被写体を選択する選択手段と、前記選択手段に選択された前記主被写体に対して、合焦していることを示す第１の表示パターンを前記光学ファインダに重畳して表示し、前記選択手段に選択されなかった他の主被写体候補に対して、前記他の主被写体候補が存在することを示す前記第１の表示パターンとは異なる第２の表示パターンを前記光学ファインダに表示する表示手段と、撮影者による操作部材の操作により前記主被写体が前記他の主被写体候補に変更されたとき、前記選択手段による前記主被写体の選択を変更し、変更された主被写体に対して焦点調節を行う制御手段と、を備えることを特徴とする。
【発明の効果】
【０００９】
本発明によれば、光学ファインダを備える撮像装置であっても、自動選択モードにおいて複数の主被写体候補から撮影者が任意の主被写体を選択することが可能となる。
【図面の簡単な説明】
【００１０】
【図１】本発明の撮像装置の第１の実施形態に係るデジタル一眼レフカメラの概略断面図である。
【図２】図１に示すデジタル一眼レフカメラのシステム構成の概略を示すブロック図である。
【図３】光学ファインダに重畳して表示される表示パターンを示す図である。
【図４】自動選択モード時のデジタル一眼レフカメラの処理を示すフローチャートである。
【図５】光学ファインダに表示される被写体像および表示パターンの一例を示す図である。
【図６】本発明の撮像装置の第２の実施形態に係るデジタル一眼レフカメラにおいて、自動選択モード時に光学ファインダに表示される被写体像と表示パターンを示す図である。
【図７】本発明の撮像装置の第３の実施形態に係るデジタル一眼レフカメラにおいて、自動選択モード時に光学ファインダに表示される被写体像と表示パターンを示す図である。
【発明を実施するための形態】
【００１１】
以下、図面を参照して、本発明の実施形態を説明する。なお、本実施形態において例示される構成部品の寸法、形状、それらの相対配置などは、本発明が適用される装置の構成や各種条件により適宜変更されるべきものであり、本発明がそれらの例示に限定されるものではない。
【００１２】
（第１の実施形態）
図１は、本発明の撮像装置の第１の実施形態に係るデジタル一眼レフカメラの概略断面図である。
【００１３】
本実施形態のデジタル一眼レフカメラ（以下、カメラという。）は、図１に示すように、カメラ本体１００にレンズユニット１０５が着脱可能に取り付けられている。レンズユニット１０５は、撮影被写界光をカメラ本体１００の撮像センサ１０７上に結像させる。なお、図１では、レンズユニット１０５の撮影レンズ１０５ａを便宜的に１枚のレンズで表現するが、実際には複数のレンズから成り立っており、レンズを光軸方向の動かすことで焦点位置を調整することができる。また、本実施形態では、交換式のレンズユニット１０５を例示するが、カメラ本体とレンズユニットが一体のカメラであってもよい。レンズ制御部１０６は、カメラ本体１００のＣＰＵ１０１からの指示により、撮影時においてレンズユニット１０５内の絞りやピント位置の調整等を行う。
【００１４】
次に、カメラ本体１００について説明する。カメラ本体１００は、カメラ全体の制御を司るＣＰＵ１０１を備える。撮像センサ１０７は、ＣＣＤセンサ或いはＣＭＯＳセンサ等の光電変換素子であり、結像した光学像を電気信号（アナログ信号）に変換する。主ミラー１１１は、半透過ミラーである。主ミラー１１１は、ファインダ観察時に撮影光路に進入（ミラーダウン）して撮影レンズ１０５ａを通る被写界光をピント板（焦点検出板）１１６に導き、撮影時に撮影光路から退避して撮影レンズ１０５ａを通る被写界光を撮像センサ１０７に導く。サブミラー１１２は、ミラーダウン位置で主ミラー１１１を透過した一部の光束を反射し、焦点検出ユニット１１９に導く。
【００１５】
外部表示部１１５は、例えば、ＴＦＴカラー液晶パネル等であり、ライブビュー画像の他に、撮影された画像やカメラの各種設定を行うためのメニュー画面等の表示に用いられる。
【００１６】
ピント板１１６は、撮像センサ１０７の結像面と等価の結像面に配置され、ミラーダウン位置で主ミラー１１１で反射された被写界像は、ピント板１１６上に１次結像する。撮影者はこの被写界像を、ペンタプリズム１２０、接眼レンズ１２３を通じて見ることができる、いわゆるＴＴＬ方式の光学ファインダを構成している。
【００１７】
ファインダ視野枠１１７は、被写体光束の周辺部を遮光することによって撮像センサ１０７により撮像される領域（撮像領域）を撮影者に視認させる。ＰＮ液晶（高分子分散液晶）パネル１１４は、焦点検出ユニット１１９による焦点検出動作の状態表示や焦点検出領域を光学ファインダに重畳表示する。本実施形態では、焦点検出領域を示すパターンとして、２種類の表示パターン（２０１，２０２）を有している。２種類の表示パターン（２０１，２０２）の詳細は後述する。
【００１８】
ファインダ内表示部１１８は、導光プリズム、ペンタプリズム１２０、接眼レンズ１２３を介して、絞り値やシャッタ速度等、カメラの各種撮影情報を撮影者に知らしめる。測光用プリズム１２１ａは、ピント板１１６に結像された被写界像の光路を折り曲げる。測光用レンズ１２１ｂは、測光用プリズム１２１ａの後ろに配置され、ピント板１１６に結像された被写界像を、測光センサ１２２上に２次結像させる。
【００１９】
測光センサ１２２は、ＣＣＤセンサ或いはＣＭＯＳセンサ等の光電変換素子であり、被写界の輝度分布を検出する。ここで、測光センサ１２２のチップ部は、３００×２００画素からなり、各領域に対応した被写界輝度を検出し、顔や色などの被写体検出や、被写体状態変化の検出を可能としている。
【００２０】
焦点検出ユニット１１９は、公知の位相検出方式の焦点検出動作を行い、被写体に対して自動的にレンズユニット１０５を焦点位置に駆動する、いわゆるＡＦ（オートフォーカシング）動作を行う。焦点検出動作は、一般的に複数の領域で検出動作が可能である。
【００２１】
レリーズＳＷ１４０は、不図示のレリーズボタンの押込量によって撮影準備動作（第一段階：半押し）と撮影動作（第二段階：全押し）の検知が可能となっている。以下、レリーズＳＷ１４０の第一段階をＳＷ１、第二段階をＳＷ２と記す。
【００２２】
図２は、カメラのシステム構成の概略を示すブロック図である。図２において、ＣＰＵ１０１は、不揮発性メモリであるＥＥＰＲＯＭ１０１ａが含まれる。ＣＰＵ１０１には、ＲＯＭ１０２、ＲＡＭ１０３、データ格納部１０４、撮像センサ制御部１０８、画像処理部１０９、フォーカルプレーンシャッタ１１３、及び表示制御部１１０が接続される。ＣＰＵ１０１には、さらに、測光センサ１２２、レンズ制御部１０６、焦点検出ユニット１１９、ピント板検出部１３２、レリーズＳＷ１４０、及びＤＣ／ＤＣコンバータ１４２が接続される。
【００２３】
ＣＰＵ１０１は、ＲＯＭ１０２に記憶された制御プログラムをＲＡＭ１０３に展開して各種制御を行う。ＣＰＵ１０１は、画像処理部１０９から出力された撮影画像信号を読み込み、ＲＡＭ１０３に転送する。また、ＣＰＵ１０１は、画像データをＪＰＥＧ圧縮してファイル形式でデータ格納部１０４に格納する。ＣＰＵ１０１は、撮像センサ制御部１０８、画像処理部１０９、表示制御部１１０等に対してデータ取り込み画素数やデジタル画像処理の変更指示を行う。
【００２４】
焦点検出ユニット１１９は、焦点検出用の一対のラインＣＣＤセンサを含んでおり、該ラインセンサから得た電圧をＡ／Ｄ変換し、ＣＰＵ１０１に送る。ＣＰＵ１０１の制御下で、焦点検出ユニット１１９は、ラインセンサの蓄積時間とＡＧＣ（オートゲインコントロール）の制御も行う。
【００２５】
ＲＡＭ１０３は、画像展開エリア１０３ａ、ワークエリア１０３ｂ、ＶＲＡＭ１０３ｃ、及び一時退避エリア１０３ｄを備える。画像展開エリア１０３ａは、画像処理部１０９から送られてきた撮影画像（ＹＵＶデジタル信号）やデータ格納部１０４から読み出されたＪＰＥＧ圧縮画像データを一時的に格納するためのテンポラリバッファとして使用される。
【００２６】
また、画像展開エリア１０３ａは、画像圧縮処理、解凍処理のための画像専用ワークエリアとして使用される。ワークエリア１０３ｂは、各種プログラムのためのワークエリアである。ＶＲＡＭ１０３ｃは、外部表示部１１５に表示する表示データを格納するＶＲＡＭとして使用される。一時退避エリア１０３ｄは、各種データを一時退避させるためのエリアである。
【００２７】
データ格納部１０４は、ＣＰＵ１０１によりＪＰＥＧ圧縮された撮影画像データ、或いはアプリケーションより参照される各種付属データ等をファイル形式で格納しておくためのフラッシュメモリである。
【００２８】
撮像センサ制御部１０８は、撮像センサ１０７に転送クロック信号やシャッタ信号を供給するためのタイミングジェネレータ、センサ出力信号のノイズ除去やゲイン処理を行うための回路を含んでいる。撮像センサ制御部１０８は、さらに、アナログ信号を１０ビットデジタル信号に変換するためのＡ／Ｄ変換回路、ＣＰＵ１０１からの解像度変換指示に従って画素間引き処理を行うための回路等を含んでいる。
【００２９】
画像処理部１０９は、撮像センサ制御部１０８から出力された１０ビットデジタル信号をガンマ変換、色空間変換、ホワイトバランス、ＡＥ、フラッシュ補正等の画像処理を行い、ＹＵＶ（４：２：２）フォーマットの８ビットデジタル信号出力を行う。
【００３０】
表示制御部１１０は、外部表示部１１５による表示を制御する。表示制御部１１０は、画像処理部１０９から転送されたＹＵＶデジタル画像データ、或いはデータ格納部１０４の画像ファイルに対してＪＰＥＧの解凍を行ったＹＵＶデジタル画像データを受け取り、ＲＧＢデジタル信号へ変換した後、外部表示部１１５に出力する。
【００３１】
外部表示部１１５は、撮像センサ１０７で撮像された画像を縦横各々間引き処理された画像を表示することのできるＴＦＴカラー液晶である。また、表示制御部１１０は、ＰＮ液晶パネル１１４とファインダ内表示部１１８による表示も制御する。
【００３２】
電池１４１は、リチャージャブルの２次電池又は乾電池である。ＤＣ／ＤＣコンバータ１４２は、電池１４１からの電源供給を受け、昇圧、レギュレーションを行うことにより複数の電源を作り出し、ＣＰＵ１０１を含む各素子に必要な電圧の電源を供給する。
【００３３】
図３は、光学ファインダに重畳して表示される表示パターンを示す図である。表示パターンは、ＰＮ液晶パネル１１４によって表示される。図３において、第１の表示パターン２０１は、焦点検出範囲全域に６１点が設けられており、それぞれがひとつの焦点検出領域に対応する。第２の表示パターン２０２は、第１の表示パターン２０１より小さく、第１の表示パターン２０１の略中央と第１の表示パターン２０１間に設けられている。
【００３４】
図３に示すように、本実施形態におけるカメラでは、焦点検出領域が複数あり、焦点検出領域を選択するモードとして、任意選択モードと自動選択モードの２種類を有する。任意選択モードとは、撮影者が撮影範囲内のピントを合わせたい位置に対応する１つの焦点検出領域を任意に選択するものである。自動選択モードとは、各焦点検出領域の焦点状態の検出結果から所定のアルゴリズムに則り、焦点検出領域が自動的に選択されるものである。
【００３５】
自動選択モード時は、人物などの主被写体を検知できれば、該被写体に対応する焦点検出領域のデフォーカス量に基づき、撮影レンズ１０５ａの焦点調節を行う。または各焦点検出領域において算出したデフォーカス量から、各領域の中で最も撮影者側（カメラ側）に近い被写体や明暗差（コントラスト）が高い被写体に撮影レンズ１０５ａの焦点調節を行う。
【００３６】
任意選択モード時のファインダ表示は、表示パターン２０１のうち、選択された１つの表示パターンのみが表示され、他の表示パターンは非表示となり、撮影者は選択した箇所の第１の表示パターン２０１のみを視認することとなる。
【００３７】
次に、図４及び図５を参照して、本発明の特徴である自動選択モード時のファインダ表示について説明する。
【００３８】
図４は、自動選択モード時のカメラの処理を示すフローチャートである。図４に示す各処理は、ＲＯＭ１０２等に記憶された制御プログラムがＲＡＭ１０３に展開されてＣＰＵ１０１により実行される。
【００３９】
ステップＳ４０１では、ＣＰＵ１０１は、レリーズＳＷ１がオンされると、ステップＳ４０２に進む。ステップＳ４０２では、ＣＰＵ１０１は、測光センサ１２２のＲ，Ｇ，Ｂの各原色信号から輝度信号や被写体検出用の信号を作成し、ステップＳ４０３に進む。ステップＳ４０３では、ＣＰＵ１０１は、焦点検出ユニット１１９から得られた各測距領域におけるデフォーカス量を算出し、ステップＳ４０４に進む。
【００４０】
ステップＳ４０４では、ＣＰＵ１０１は、ステップＳ４０２とステップＳ４０３の結果である被写体輝度、色、距離情報等から所定のアルゴリズムによって主被写体を選択し、ステップＳ４０５に進む。このとき、主被写体として選択されなかった主被写体のうち、信頼性が所定の閾値以上であるものは主被写体候補と見なされる。ステップＳ４０５では、ＣＰＵ１０１は、ステップＳ４０３で検出されたデフォーカス量が所定値未満の場合は合焦したと判定し、合焦したと判定すると、ステップＳ４０６に進み、合焦していないと判定すると、ステップＳ４０７に進む。
【００４１】
ステップＳ４０６では、ＣＰＵ１０１は、複数の第１の表示パターン２０１のうち、ステップＳ４０４で選択された主被写体のみを点灯させ、ステップＳ４０８に進む。ステップＳ４０７では、ＣＰＵ１０１は、フォーカスレンズの駆動を行い、ステップＳ４０１に戻る。ステップＳ４０８では、ＣＰＵ１０１は、ステップＳ４０４で選択された主被写体以外に、主被写体候補と見なされる箇所があるかを判定し、ある場合は、ステップＳ４０９に進み、ない場合は、ステップＳ４１４に進む。
【００４２】
ステップＳ４０８では、ＣＰＵ１０１は、複数の第２の表示パターン２０２のうち、ステップＳ４０４で主被写体候補と見なされた箇所を点灯させる。この時のファインダ表示が図５（ａ）である。図５は、光学ファインダに表示される被写体像と表示パターンの一例を示す図である。図５（ａ）は、被写体像と図３の表示パターンが重畳して表示されている状態であり、第１の表示パターン２０１と第２の表示パターン２０２のうち、点灯しているものを黒色で示している。図５（ａ）では、左側の人物が主被写体と判定され、右側の人物が主被写体候補と判定された場合である。そして、ＣＰＵ１０１は、第２の表示パターンの点灯が完了したら、ステップＳ４１０に進む。
【００４３】
ステップＳ４１０では、撮影者が主被写体を変更させるかを判断する。図５（ａ）のファインダ表示を撮影者が確認し、選択された主被写体が撮影者の意図したものでないと考えた場合、撮影者は所定の釦など操作部材によりカメラに対して主被写体を変更する操作を行う。そして、ＣＰＵ１０１は、この操作が検出された場合は、ステップＳ４１１に進み、検出されない場合は、ステップＳ４１４に進む。
【００４４】
ステップＳ４１１では、ＣＰＵ１０１は、ステップＳ４１０で検出された撮影者の操作により、主被写体をステップＳ４０４で主被写体候補とみなされた箇所に変更する。そして、ＣＰＵ１０１は、新たに設定された主被写体に対して合焦するよう、フォーカスレンズを駆動して再度焦点調整を行い、フォーカスレンズの駆動が完了すると、ステップＳ４１２に進む。
【００４５】
そして、ＣＰＵ１０１は、ステップＳ４１２で点灯する第１の表示パターン２０１の変更を行い、続いてステップＳ４１３で点灯する第２の表示パターン２０２の変更を行い、ステップＳ４１４に進む。この時点におけるファインダ表示を図５（ｂ）に示す。
【００４６】
ステップＳ４１４では、ＣＰＵ１０１は、撮影者によりレリーズＳＷ２がオンされたか否かを判定し、レリーズＳＷ２がオンされると、ステップＳ４１５に進む、レリーズＳＷ２がオンされなければ、ステップＳ４０１に戻る。ステップＳ４１５では、ＣＰＵ１０１は、第１の表示パターン２０１及び第２の表示パターン２０２を消灯し、ステップＳ４１６に進む。
【００４７】
ステップＳ４１６では、ＣＰＵ１０１は、撮影動作を行う。具体的には、主ミラー１１１をサブミラー１１２と共に撮影光路外に退避させ、ステップＳ４０２での測光結果に基づいて露出制御を行う。また、レンズユニット１０５の絞り値とフォーカルプレーンシャッタ１１３のシャッタ速度を制御し、入射した被写体光束を撮像センサ１０７により光電変換する。その後、撮影済み画像を記録メディアに記録するとともに、外部表示部１１５に撮影画像を表示して一連の撮影動作を行い、処理を終了する。
【００４８】
以上説明したように、本実施形態では、光学ファインダを備えるカメラの自動選択モードにおいて、複数の主被写体候補があった場合に主被写体と主被写体候補を異なるパターンで表示する。これにより、撮影者は選択された主被写体以外に主被写体候補があることを確認できるようになり、また、操作部材を操作することで任意の主被写体を選択することが可能となる。
【００４９】
また、本実施形態では、第１の表示パターン２０１を第２の表示パターン２０２より大きなパターンとすることで、直感的に主被写体と主被写体候補が撮影者に認識されやすくなり、両者を取り違える可能性を低減することができる。
【００５０】
（第２の実施形態）
次に、図６等を参照して、本発明の撮像装置の第２の実施形態に係るカメラについて説明する。なお、上記第１の実施形態と重複する部分については、図及び符号を流用し、主に相違点について説明する。
【００５１】
上記第１の実施形態では、主被写体と主被写体候補の位置がある程度離れている場合を例示したが、本実施形態では、主被写体と主被写体候補の位置が重複した場合の表示パターンの表示例について説明する。
【００５２】
図６は、自動選択モード時に光学ファインダに表示される被写体像と表示パターンを示す図である。図６（ａ）は、図４のステップＳ４０９の時点（第１の表示パターン２０１と第２の表示パターン２０２がともに点灯）におけるファインダ表示を示している。図６（ａ）の例では、カメラが自動選択した主被写体は顔全体であり、第１の表示パターン２０１は、主被写体である顔全体に対して表示されている。
【００５３】
主被写体候補としては、顔の目にあたる部分が選択されており、選択された部分は第２の表示パターン２０２によって表示されている。ここで、図４のステップＳ４１１で撮影者が主被写体候補とされた顔の目にあたる部分に合焦するよう、操作部材で指示すると、ファインダ表示は図６（ｂ）のようになる。
【００５４】
なお、本実施形態のように第１の表示パターン２０１と第２の表示パターン２０２の領域が重複するような場合では視認性が悪くなる可能性がある。そのため、第１の表示パターン２０１と第２の表示パターン２０２の表示周期を変更すると視認性が改善される。例えば第１の表示パターン２０１は常時点灯させ、第２の表示パターン２０２は一定周期で点滅させるようにすれば良い。
【００５５】
以上説明したように、本実施形態では、自動選択モードにおいて、主被写体と主被写体候補の位置が重複した場合であっても、主被写体と主被写体候補を異なる表示パターンで表示する。これにより、上記第１の実施形態のように主被写体と主被写体候補が離れた位置になかった場合であっても、撮影者は選択された主被写体以外に主被写体候補があることを確認でき、さらに、操作部材を操作することで任意の主被写体を選択することが可能となる。その他の構成、及び作用効果は、上記第１の実施形態と同様である。
【００５６】
（第３の実施形態）
次に、図７等を参照して、本発明の撮像装置の第３の実施形態に係るカメラについて説明する。なお、上記第１の実施形態と重複する部分については、図及び符号を流用し、主に相違点について説明する。
【００５７】
本実施形態では、主被写体候補が複数ある場合の表示パターンの表示例について説明する。図７は、自動選択モード時に光学ファインダに表示される被写体像と表示パターンを示す図である。図７（ａ）は、図４のステップＳ４０９の時点（第１の表示パターン２０１と第２の表示パターン２０２がともに点灯）におけるファインダ表示を示している。図７（ａ）の例では、撮影範囲内に多くの顔があり、カメラが選択した主被写体は中央の顔であり、第１の表示パターン２０１は主被写体である中央の顔に対して表示されている。
【００５８】
カメラが主被写体として選択しなかった主被写体候補の顔があるが、数が多く全てを第１及び第２の実施形態のように第２の表示パターン２０２を点灯させると表示が煩雑になってしまう。そこで、本実施形態では、主被写体候補の位置は明示せず、存在することを示すため第１の表示パターン２０１の左右（周囲）にある第２の表示パターン２０２を点灯させている。
【００５９】
ここで、図４のステップＳ４１０で撮影者が主被写体を変更するよう操作部材で指示すると、図７（ｂ）のように、別の主被写体候補を新たな主被写体として選択したファインダ表示となる。また、図７では、ファインダ表示の上部に主被写体候補の数を示すための第３の表示パターン２０３が表示されており、表示される第３の表示パターン２０３の数で主被写体個数を示している。図７の例では、５つの主被写体候補があることを示している。
【００６０】
図７（ａ）の場合は、点灯している５つの第３の表示パターン２０３のうち中央のパターンを点滅させ、図７（ｂ）の場合は、中央より一つ右側のパターンを点滅させることで、同時に主被写体候補の概略位置を示すことも可能である。この種の表示は、例えば撮像装置の水準器機能のファインダ表示に用いられるパターンや、ファインダ内表示部１１８に用意された露出機能の表示を使用してもよい。
【００６１】
以上説明したように、本実施形態では、自動選択モードにおいて、多数の主被写体候補があった場合でも、主被写体と主被写体候補が存在することを撮影者に伝えることができ、撮影者は選択された主被写体以外に主被写体候補があることを確認できるようになる。さらに、操作部材を操作することで任意の主被写体を選択することが可能となる。その他の構成、及び作用効果は、上記第１の実施形態と同様である。
【００６２】
なお、本発明は、上記各実施形態に例示したものに限定されるものではなく、本発明の要旨を逸脱しない範囲において適宜変更可能である。
【００６３】
また、本発明は、以下の処理を実行することによっても実現される。即ち、本発明は、上述の実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６４】
１０１  ＣＰＵ
１１８  ファインダ内表示部
１１９  焦点検出ユニット
１２３  接眼レンズ
２０１  第１の表示パターン
２０２  第２の表示パターン
【図１】
2019101106.tif 000003
【図２】
2019101106.tif 000004
【図３】
2019101106.tif 000005
【図４】
2019101106.tif 000006
【図５】
2019101106.tif 000007
【図６】
2019101106.tif 000008
【図７】
2019101106.tif 000009